(57)【要約】      （修正有）【課題】ユーザが定義したマクロ機能を持つディスプレイを搭載したマウスあるいはキーボードを提供する。【解決手段】ビルトインディスプレイユニットを通じてマウス又はキーボードのインフォメーションを表示するシステムは、複数のマクロを記録するためのストレージユニットと、マクロのインフォメーションを表示するためのディスプレイユニットと、マクロ及びディスプレイユニットによって表示されるマクロのインフォメーションをコントロールするためのコントロールユニットと、を含む。コントロールユニットは、スイッチシグナルを受信するとすぐに前記ストレージユニットに記録されたマクロを変換し、ディスプレイユニットにマクロのインフォメーションを表示し、トランスファーシグナルを受信するとすぐにコントロールユニットはスイッチされたマクロをコンピュータにトランスファーする。【選択図】図１Ａ
2012073696.tif 000002
【特許請求の範囲】
【請求項１】
ビルトインディスプレイユニットを通じてマウスのインフォメーションを表示するシステムは、
複数のマクロを記録するためのストレージユニットと；
マクロのインフォメーションを表示するためのディスプレイユニットと；
前記マクロ及び前記ディスプレイユニットによって表示されるマクロのインフォメーションを管理するためのコントロールユニットと；を含み、
前記コントロールユニットは、スイッチシグナルを受信するとすぐに前記ストレージユニットに記録されたマクロを変換し、前記ディスプレイユニットにマクロのインフォメーションを表示し、トランスファーシグナルを受信するとすぐに、前記コントロールユニットはスイッチされたマクロをコンピュータにトランスファーする、ビルトインディスプレイユニットを通じてマウスのインフォメーションを表示するシステム。
【請求項２】
前記ストレージユニットはフラッシュメモリモジュールである、請求項１に記載のビルトインディスプレイユニットを通じてマウスのインフォメーションを表示するシステム。
【請求項３】
前記ディスプレイユニットはＬＥＤ又は液晶ディスプレイである、請求項１に記載のビルトインディスプレイユニットを通じてマウスのインフォメーションを表示するシステム。
【請求項４】
前記コントロールユニットはマルチメディアコントロールインターフェース又はマイクロプロセッサである、請求項１に記載のビルトインディスプレイユニットを通じてマウスのインフォメーションを表示するシステム。
【請求項５】
前記スイッチシグナルは、マウスのスペシャルキー又はホットキーにより形成される、請求項１に記載のビルトインディスプレイユニットを通じてマウスのインフォメーションを表示するシステム。
【請求項６】
前記トランスファーシグナルは、マウスのスペシャルキー又はホットキーにより形成される、請求項１に記載のビルトインディスプレイユニットを通じてマウスのインフォメーションを表示するシステム。
【請求項７】
ビルトインディスプレイユニットを通じてキーボードのインフォメーションを表示するシステムは、
複数のマクロを記録するためのストレージユニットと；
マクロのインフォメーションを表示するためのディスプレイユニットと；
前記マクロ及び前記ディスプレイユニットによって表示されるマクロのインフォメーションをコントロールするためのコントロールユニットと；を含み、
前記コントロールユニットは、スイッチシグナルを受信するとすぐに前記ストレージユニットに記録されたマクロを変換し、前記ディスプレイユニットにマクロのインフォメーションを表示し、トランスファーシグナルを受信するとすぐに前記コントロールユニットはスイッチされたマクロをコンピュータにトランスファーする、ビルトインディスプレイユニットを通じてマウスのインフォメーションを表示するシステム。
【請求項８】
前記ストレージユニットはフラッシュメモリモジュールである、請求項７に記載のビルトインディスプレイユニットを通じてキーボードのインフォメーションを表示するシステム。
【請求項９】
前記ディスプレイユニットはLED又は液晶ディスプレイである、請求項７に記載のビルトインディスプレイユニットを通じてキーボードのインフォメーションを表示するシステム。
【請求項１０】
前記コントロールユニットはマルチメディアコントロールインターフェース又はマイクロプロセッサである、請求項７に記載のビルトインディスプレイユニットを通じてキーボードのインフォメーションを表示するシステム。
【請求項１１】
前記スイッチシグナルは、キーボードのスペシャルキー又はホットキーにより形成される、請求項７に記載のビルトインディスプレイユニットを通じてキーボードのインフォメーションを表示するシステム。
【請求項１２】
前記トランスファーシグナルは、キーボードのスペシャルキー又はホットキーにより形成される、請求項７に記載のビルトインディスプレイユニットを通じてキーボードのインフォメーションを表示するシステム
【発明の詳細な説明】
【技術分野】
【０００１】
本発明は一般にディスプレイのインフォメーションを表示するシステムに関連し、より具体的にはビルトインディスプレイユニットを有するマウス又はキーボードのマクロのスイッチされたインフォメーションを表示するシステムに関する。
【背景技術】
【０００２】
インフォメーションテクノロジーの発展に伴い、コンピュータは我々の生活においてより一般的になってきている。マウス及びキーボードは、元々の文字入力から現在のデータプロセッシングにまで「ヒト化(hominization)」してきている。マウス及びキーボードは、単純にインプットインターフェースとして使用されず、コンピュータの操作の便利性を向上させるいくつかの機能が追加されている。いくつかのスペシャルキーは、関連ソフトウエアの実行を敏速にし、又は特定のオペレーションを実行させることができるマウス及びキーボード用に設計されている。スペシャルキーが様々な機能を提供できるように、スペシャルキーの設計は、定義に特化したアプリケーションプログラムを利用し、関連のセッティングを行うためにマウス及びキーボードのスペシャルキーを記録する。
【先行技術文献】
【特許文献】
【０００３】
【特許文献１】台湾公開公報Ｍ３６３６３４号
【発明の概要】
【発明が解決しようとする課題】
【０００４】
スペシャルキーの定義は、複雑な実行コマンド又はインプットデータを含む様々なマクロを形成するために用途のオペレーション方法に応じて設計される。ユーザーがマウス又はキーボードにより事前に定義したファンクション結果を得るために、ユーザーは、マクロモジュールをマウス又はキーボード上のスペシャルキーでコンピュータに保存することができる。しかしながら、公共のコンピュータを日々使用する人々に関しては、個人で持ち運ぶマウス又はキーボードに慣れている。ユーザーが異なるコンピュータを使用するとき、スペシャルキーのアプリケーションプログラムが異なるコンピュータに書き込まれるよう再度設計される必要があり、そしてマウス又はキーボード上のスペシャルキーの定義は、コンピュータに記録されたマクロを形成するために繰り返し実行されなければならず、ユーザーにとってとても不便である。そのため、コンピュータのマウス及びキーボードに記録された事前に定義されたマクロが存在する場合、マクロをいつでも表示するようにして上述の問題を解決することが望まれている。
【課題を解決するための手段】
【０００５】
したがって本発明の目的は、マクロを記録したビルトインディスプレイを有するマウス又はキーボードデバイスのインフォメーションを表示するシステムを提供することである。
【発明の効果】
【０００６】
その他の目的は、ユーザーのマクロが記録されたマウス又はキーボードの操作を容易にすることである。
【０００７】
本発明は、ビルトインディスプレイを有するマウス又はキーボードのインフォメーションを表示するシステムを提供することにより実現する。これは、複数のマクロを記録するためのストレージユニットと、マクロを表示するためのディスプレイユニットと、ディスプレイユニットにより表示されるマクロのインフォメーションを管理するコントロールユニットと、を含む。コントロールユニットは、スイッチシグナルを受信するとすぐにストレージユニットに記録されたマクロを変換し、マクロのインフォメーションをディスプレイユニットに表示する。そしてコントロールユニットは、トランスファーシグナルを受信するとすぐに、スイッチされたマクロをコンピュータにトランスファーする。
【０００８】
好ましくは、ストレージユニットはフラッシュメモリモジュールである。
好ましくは、ディスプレイユニットはLEDまたは液晶ディスプレイである。
好ましくは、コントロールユニットはマルチメディアコントロールインターフェースまたはマイクロプロセッサである。
好ましくは、スイッチシグナルはマウス又はキーボード上のスペシャルキー又はホットキーにより形成される。
好ましくは、トランスファーシグナルはマウス又はキーボード上のスペシャルキー又はホットキーにより形成される。
【０００９】
ビルトインディスプレイユニットを有するマウス又はキーボードのインフォメーションを表示するシステムに関する本発明は、マクロを記録し且つマクロをディスプレイユニットに表示することに利点を有し、そしてユーザーがマクロの記録されたマウス又はキーボードを持ち運び、マクロのインフォメーションをいつでも確認することを可能にする。
【図面の簡単な説明】
【００１０】
【図１Ａ】本発明に従ったシステムコンフィグレーションを示した概略図である。
【図１Ｂ】本発明に従ったスイッチシグナル及びトランスファーシグナルの夫々の概略図である。
【図１Ｃ】本発明に従ったスイッチシグナル及びトランスファーシグナルの夫々の概略図である。
【図２Ａ】本発明の実施形態を示す図である。
【図２Ｂ】本発明のその他の実施形態を示す図である。
【発明を実施するための形態】
【００１１】
本発明の上述された目的及び有利な点は、以下の図と併せて詳細な説明とともにより完全に理解されるであろう。
【００１２】
図１Ａは、本発明に従ったシステムコンフィグレーションを示した概略図である。インフォメーションディスプレイシステム１は、ストレージユニット１１、ディスプレイユニット１２、及びコントロールユニット１３を含む。ストレージユニット１１は、複数のマクロ１１１を記録するためのフラッシュメモリモジュールである。ストレージユニット１１に記録された複数のマクロ１１１のキャパシティ及び記録容量は、本発明では制限されない。ディスプレイユニット１２は、マクロ１１のインフォメーションを表示する。コントロールユニット１３はマルチメディアコントロールインターフェース又はマイクロプロセッサであり、シグナル２を受けコントロールユニット１３でマクロ１１１を変換またはトランスファーし、ディスプレイユニット１２にマクロのインフォメーションを表示する。コントロールユニット１３は、コンピュータデバイス３に電気的に結合されている。
【００１３】
図１Ｂ及び図１Ｃは、本発明に従ったスイッチシグナル及びトランスファーシグナルの夫々の概略図であり、スイッチシグナル及びトランスファーシグナルは、マウス又はキーボードのスペシャルキー又はホットキーにより形成される。スペシャルキーは、マウス又はキーボード上に制限されるものではなく、要望によってあらゆる関連機器上に設計されてもよい。シグナル２は、スイッチシグナル２１及びトランスファーシグナル２２を更に含む。コントロールユニット１３がスイッチシグナル２１を受信したとき、コントロールユニット１３はストレージユニット１１に記録されたマクロ１１１を一斉に変換し、ディスプレイユニット１２にマクロのインフォメーションを表示する。コントロールユニット１３によってスイッチされたマクロ１１１は、スペシャルキーのオプション又は連続スイッチングモードで判断される。コントロールユニット１３がトランスファーシグナル２２を受信したとき、コントロールユニット１３はスイッチされたマクロ１１１をコンピュータデバイス３に一斉にトランスファーし、コンピュータデバイス３はマクロ１１１を受け入れ、マクロが定義したインストラクションを実行する。
【００１４】
図２Ａは、本発明の実施形態を示す図である。図１Ｂ及び図１Ｃと併せて図２Ａを参照する。上述されたように、キーボード４はディスプレイインフォメーションシステム１をインストールし、ディスプレイユニット４１及びマクロキー領域４２を装備する。ディスプレイユニット４１は上述のディスプレイユニット１２と同等であり、ＬＥＤまたは液晶ディスプレイであってもよい。ディスプレイユニット４１は、コントロールユニット１３で変換されたストレージユニット１１に記録されるマクロのインフォメーションを表示することができる。マクロキー領域４２は、シグナル２を形成するために設計される。マクロキー領域４２は、複数のマクロキー４２１を含み、スイッチシグナル２１及びトランスファーシグナル２２を形成するために操作される。ディスプレイインフォメーションシステム１は、ディスプレイユニット４１にスイッチされたマクロ１１１のインフォメーションを表示し、スイッチされたマクロ１１１をコンピュータデバイス３にトランスファーする。これらは前述しここでは説明しない。
【００１５】
図２Ｂは、本発明のその他の実施形態を示す図である。図１Ｂ及び図１Ｃと併せて図２Ｂを参照する。マウス５は、上述されたようにディスプレイインフォメーションシステム１をインストールし、ディスプレイユニット５１及びマクロキー５２を装備する。ディスプレイユニット５１は上述のディスプレイユニット１２と同等であり、ＬＥＤまたは液晶ディスプレイであってもよい。ディスプレイユニット５１は、コントロールユニット１３で変換されるストレージユニット１１に記録されるマクロのインフォメーションを表示することができる。マクロキー５２は、スイッチシグナル２１及びトランスファーシグナル２２を形成するために操作され、ディスプレイインフォメーションシステム１は、ディスプレイユニット５１にスイッチされたマクロ１１１のインフォメーションを表示し、スイッチされたマクロ１１１をコンピュータデバイス３にトランスファーする。これらは前述しここでは説明しない。
【００１６】
上述されたように、本発明に従ったビルトインディスプレイを有するマウス又はキーボードのインフォメーションを表示するシステムは、マウス又はキーボードにインストールされる。マクロはマウス又はキーボードに記録され、マクロを定義するためにコンピュータにアプリケーションプログラムを書き込むことなく異なるコンピュータでいつでも実行されることができる。これは利便性がありユーザーの要望に沿っている。
【００１７】
本発明の好ましい実施形態が上述の明細書で説明されているが、本発明を逸脱することなく設計の詳細の様々な変更、構成、又は運用がなされることは、当業者にとって当然のことである。
【図１Ａ】
2012073696.tif 000003
【図１Ｂ】
2012073696.tif 000004
【図１Ｃ】
2012073696.tif 000005
【図２Ａ】
2012073696.tif 000006
【図２Ｂ】
2012073696.tif 000007